(57)【要約】【課題】本発明は、装置の姿勢差に関わらず必ずＧＰＳ用アンテナは常に一定の上方向を向き、ＧＰＳ用アンテナの角度を調整するなどの作業は全く必要なくなり、操作性が格段に良くなるＧＰＳ用アンテナ及びＧＰＳ情報端末装置を提供することを目的とする。【解決手段】本発明のＧＰＳ用アンテナは、ＧＰＳ衛星からの信号を受信するＧＰＳ用アンテナが具備されている第１のユニット部と、第１のユニット部を回転可能に軸受する第１の軸受を有する第２のユニット部と、第２のユニット部を回転可能に軸受し、第１の軸受に対して垂直方向に軸受する第２の軸受を有する固定支持部とを有する。【選択図】        図２
2004279257.tif 000002
【特許請求の範囲】
【請求項１】
ＧＰＳ衛星からの信号を受信するＧＰＳ用アンテナが具備されている第１のユニット部と、
該第１のユニット部を回転可能に軸受する第１の軸受を有する第２のユニット部と、
該第２のユニット部を回転可能に軸受し、前記第１の軸受に対して垂直方向に軸受する第２の軸受を有する固定支持部と
を有することを特徴とするＧＰＳ用アンテナ。
【請求項２】
前記固定支持部に設けられ、前記ＧＰＳ用アンテナに電源を供給するための電磁波を発生する電磁波発生器からの前記電磁波を受信する電磁波受信器を、前記第１のユニット部に設けた請求項１記載のＧＰＳ用アンテナ。
【請求項３】
前記ＧＰＳアンテナが受信したＧＰＳ衛星からの信号を増幅する増幅器と、該増幅器により増幅された信号を光に変換し、前記固定支持部に設けられた受光部に対して発光する発光部とを前記第１のユニット部に設けた請求項１記載のＧＰＳ用アンテナ。
【請求項４】
請求項１〜３のいずれかに記載のＧＰＳ用アンテナを搭載し、ＧＰＳ衛星からの信号を受信して位置情報を得ることを特徴とするＧＰＳ情報端末装置。
【発明の詳細な説明】
【０００１】
【発明の属する技術分野】
本発明はＧＰＳ用アンテナ及びＧＰＳ情報端末装置に関し、詳細にはＧＰＳ衛星からの信号を受け取る情報端末装置に搭載されたＧＰＳ用アンテナの機構に関する。
【０００２】
【従来の技術】
【特許文献１】特開２００１−３５６１６１号公報
上記特許文献１には、ＧＰＳ（Ｇｌｏｂａｌ  Ｐｏｓｉｔｉｏｎｉｎｇ  Ｓｙｓｔｅｍ）衛星から送信されて来る信号を受け、当該信号に基づいて方位情報を得る方位情報取得方法及び装置が提案されている。詳細には、ＧＰＳ衛星からの信号をＧＰＳ平面アンテナ二枚を背向させる方向に平行設置させ、それぞれのアンテナに接続するＧＰＳ受信機に捕捉を試みさせ、得られた信号の比較から、ＧＰＳ衛星の存在する、アンテナ面に対する上空領域を特定し、さらにそれぞれの衛星の方位角値を参照することにより、アンテナ面と、水平面の交線の特定方向の方位角値を、幅をもった方位角範囲として即座に出力するものである。更に、方位角範囲によって定まる角度を上限とする、回転角度上限のアンテナ水平回転によって方位特定もできるものである。
【０００３】
【発明が解決しようとする課題】
しかしながら、上記特許文献１によれば、実際ＧＰＳ衛星からの信号を受信してその位置情報を知ることができる情報端末に関して、ＧＰＳアンテナの方向を正してＧＰＳ衛星の方向に向け続けることは難しい。更に、人間の手で持つ、携帯用の端末装置などにおいてＧＰＳ衛星は見に見えないものなのでどこの方向に向ければ良いか非常にわかりずらい。また、情報端末を置いている場所が必ずしも水平でないので、正確にアンテナをＧＰＳ衛星に向けるのは難しい作業であった。
【０００４】
本発明はこれらの問題点を解決するためのものであり、装置の姿勢差に関わらず必ずＧＰＳ用アンテナは常に一定の上方向を向き、ＧＰＳ用アンテナの角度を調整するなどの作業は全く必要なくなり、操作性が格段に良くなるＧＰＳ用アンテナ及びＧＰＳ情報端末装置を提供することを目的とする。
【０００５】
【課題を解決するための手段】
前記問題点を解決するために、本発明のＧＰＳ用アンテナは、第１のユニット部と、第２のユニット部と、固定支持部とを有している。そして、第１のユニット部は、ＧＰＳ衛星からの信号を受信するＧＰＳ用アンテナが具備されている。第２のユニット部は、第１のユニット部を回転可能に軸受する第１の軸受を有する。固定支持部は、第２のユニット部を回転可能に軸受し、第１の軸受に対して垂直方向に軸受する第２の軸受を有する。よって、固定支持部としての装置本体側の姿勢差に関らず、ＧＰＳ用アンテナは、常に一定の上方向を向いているため、ＧＰＳ用アンテナの角度を調整するなどの煩雑な作業が不要となり、操作性が格段に向上する。
【０００６】
また、固定支持部に設けられ、ＧＰＳ用アンテナに電源を供給するための電磁波を発生する電磁波発生器からの電磁波を受信する電磁波受信器を、第１のユニット部に設けたことにより、またＧＰＳアンテナが受信したＧＰＳ衛星からの信号を増幅する増幅器と、増幅器により増幅された信号を光に変換し、固定支持部に設けられた受光部に対して発光する発光部とを第１のユニット部に設けたことにより、ＧＰＳ用アンテナが受信した信号を固定支持部を有する装置本体側に送ることができる。
【０００７】
更に、別の発明としてのＧＰＳ情報端末装置は、上記のＧＰＳ用アンテナを搭載し、ＧＰＳ衛星からの信号を受信して位置情報を得ることに特徴がある。よって、携帯時に逐次変わる装置本体の姿勢を自動的に修正して常に一定の上方向を向けることより安定した受信状態を確保可能な携帯用としてＧＰＳ情報端末装置を提供できる。
【０００８】
【発明の実施の形態】
本発明のＧＰＳ用アンテナは、ＧＰＳ衛星からの信号を受信するＧＰＳ用アンテナが具備されている第１のユニット部と、第１のユニット部を回転可能に軸受する第１の軸受を有する第２のユニット部と、第２のユニット部を回転可能に軸受し、第１の軸受に対して垂直方向に軸受する第２の軸受を有する固定支持部とを有する。
【０００９】
【実施例】
図１は本発明の一実施例に係るＧＰＳ端末装置の一例のデジタルカメラを示す斜視図である。同図に示すＧＰＳ機能が付いているデジタルカメラ１０は、本体１１と、ＧＰＳ用アンテナ１２とを含んで構成されている。また、ＧＰＳ衛星は上空にあるのでＧＰＳ用アンテナ１２は本体１１の上面部に設けられている。
【００１０】
図２は図１のＧＰＳ用アンテナの構成を示す平面図、図３は図１のＧＰＳ用アンテナの構成を示す断面図である。図２及び図３において、ＧＰＳ用アンテナ１２は、第１のユニット部１３−１及び第２のユニット部１３−２を有するユニット部１３、第一の軸受１４、第二の軸受１５、電磁波発生器１６、電磁波受け器１７、発光部１８、受光部１９、アンプ部２０を含んで構成されている。本発明のＧＰＳ端末装置におけるＧＰＳ用アンテナ１２は、図１の本体１１の姿勢差を自動的に修正され、自重の力によって常に上方向に向くようになっている。よって、本体１１が斜めに傾いてもＧＰＳ用アンテナ１２はＧＰＳ衛星の方向を向いており、操作者は非常に使い勝手が良くなる。
【００１１】
また、図２からわかるように、ユニット部１３−１の中心にＧＰＳ用アンテナ１２があり、ＧＰＳ用アンテナ１２はユニット部１３−１により保持されている。さらに、ユニット部１３−１は、ユニット部１３−２の第一の軸受１４により回転可能に支持されている。そして、ユニット部１３−２は、本体１１の第二の軸受１５により回転可能に支持されている。また、第二の軸受１５は、第一の軸受１４と垂直方向に配置されている。以上の構成にすることにより、ユニット部１３−１は一定の方向でも任意の方向に向けることが可能になる。
【００１２】
更に、図３からわかるように、ユニット部１３−１の内部には、ＧＰＳ用アンテナ１２が配置されている。さらに、ＧＰＳ用アンテナ１２の下に、ＧＰＳ用アンテナ１２で受け取った微小信号を増幅するためのアンプ部２０がある。また、本体１１に設けられた電磁波発生器１６から発生した電磁波がユニット部１３−１に設けられた電磁波受け器１７で受け取られる。これにより非接触にて本体からユニット部１３−１に電源が供給されることとなる。この原理は、家庭用の携帯電話機において非接触にて子機に充電する手段として使われている技術である。更に、供給された電源により前述した、増幅されたアンテナ信号を光信号に変換する。そして、変換された光信号を発光部１８により、光として発光させる。本体１１の受光部１９が、発光部１８からの光を受け取る。そして、本体１１によってその信号を位置情報として扱えるように処理していく。
【００１３】
以上説明したように、本実施例においては、第一の軸受１４、第二の軸受１５の下側にユニット部１３−１を配置していることにより、重力の作用により必ずＧＰＳ用アンテナ１２は一定の上方向に向いている。
【００１４】
なお、ユニット部１３−１と本体１１の間の電源供給及び信号のやりとりは必ずしも本発明のように行う必要はなく、非接触でやりとりすることができれば別の手段であっても構わない。
【００１５】
なお、本発明は上記実施例に限定されるものではなく、特許請求の範囲内の記載であれば多種の変形や置換可能であることは言うまでもない。
【００１６】
【発明の効果】
以上説明したように、本発明のＧＰＳ用アンテナは、第１のユニット部と、第２のユニット部と、固定支持部とを有している。そして、第１のユニット部は、ＧＰＳ衛星からの信号を受信するＧＰＳ用アンテナが具備されている。第２のユニット部は、第１のユニット部を回転可能に軸受する第１の軸受を有する。固定支持部は、第２のユニット部を回転可能に軸受し、第１の軸受に対して垂直方向に軸受する第２の軸受を有する。よって、固定支持部としての装置本体側の姿勢差に関らず、ＧＰＳ用アンテナは、常に一定の上方向を向いているため、ＧＰＳ用アンテナの角度を調整するなどの煩雑な作業が不要となり、操作性が格段に向上する。
【００１７】
また、固定支持部に設けられ、ＧＰＳ用アンテナに電源を供給するための電磁波を発生する電磁波発生器からの電磁波を受信する電磁波受信器を、第１のユニット部に設けたことにより、またＧＰＳアンテナが受信したＧＰＳ衛星からの信号を増幅する増幅器と、増幅器により増幅された信号を光に変換し、固定支持部に設けられた受光部に対して発光する発光部とを第１のユニット部に設けたことにより、ＧＰＳ用アンテナが受信した信号を固定支持部を有する装置本体側に送ることができる。
【００１８】
更に、別の発明としてのＧＰＳ情報端末装置は、上記のＧＰＳ用アンテナを搭載し、ＧＰＳ衛星からの信号を受信して位置情報を得ることに特徴がある。よって、携帯時に逐次変わる装置本体の姿勢を自動的に修正して常に一定の上方向を向けることより安定した受信状態を確保可能な携帯用としてＧＰＳ情報端末装置を提供できる。
【図面の簡単な説明】
【図１】本発明の一実施例に係るＧＰＳ端末装置の一例のデジタルカメラを示す斜視図である。
【図２】図１のＧＰＳ用アンテナの構成を示す平面図である。
【図３】図１のＧＰＳ用アンテナの構成を示す断面図である。
【符号の説明】
１０；デジタルカメラ、１１；本体、１２；ＧＰＳ用アンテナ、
１３；ユニット部、１３−１；第１のユニット部、
１３−２；第２のユニット部、１４；第一軸受、１５；第二軸受、
１６；電磁波発生器、１７；電磁波受け器、１８；発光部、１９；受光部、
２０；アンプ部。
【図１】
2004279257.tif 000003
【図２】
2004279257.tif 000004
【図３】
2004279257.tif 000005